(57)【特許請求の範囲】
【請求項１】
上部を開口させた外周壁を有しその内側に飲料を収容する容器本体と、抽出原料の収納空間を有するケース本体を備え該収納空間を閉塞するフィルターを設けた収納ケースとからなり、該収納ケースを該容器本体内に載置し該容器本体に収容される溶媒を該収納ケース内に導入させて飲料を抽出させる抽出容器であって、
前記ケース本体を、合成樹脂にて形成するとともに、該収納空間を、底板と該底板を取り囲んで立ち上がる周壁との協働によって形成し、
該周壁は、該周壁の外周面から隙間をあけて該外周面に沿って延在しその一端部を該周壁に一体連結するとともに該周壁との隙間をつなぐ少なくとも１つの連結片を備え、該連結片の破断にて一端部を残して該周壁から切り離されて該容器本体内からの該収納ケースの吊り上げを可能とするアーム部を設けることを特徴とする抽出容器。
【請求項２】
前記アーム部は、その他端部に前記容器本体の外周壁上端に引っ掛かるフックを備える請求項１に記載の抽出容器。
【請求項３】
前記収納ケースは、前記フィルターを覆うシール部材を備える請求項１又は２に記載の抽出容器。
【請求項４】
前記容器本体は、前記外周壁を上部の開口に向けて拡径させて該容器本体の底部上に前記収納ケースを収めた姿勢で該容器本体同士のスタッキングを可能とするものである請求項１〜３のいずれかに記載の抽出容器。
【発明の詳細な説明】
【技術分野】
【０００１】
本発明は、水や湯を注ぎ入れることによってコーヒーやお茶等を抽出させてそのまま飲むことのできる抽出容器に関するものである。
【背景技術】
【０００２】
従来、例えば湯を注ぎ入れることによって１回分のコーヒーやお茶等を抽出させるものとしては、特許文献１に記載のように、茶葉やコーヒー豆等を不織布で形成された紙袋に収納し、熱湯を注いだ茶碗（容器）内に入れることで所望の飲料が抽出できるティーバックが知られている。
【先行技術文献】
【特許文献】
【０００３】
【特許文献１】実用新案登録第３０２０３５５号明細書
【発明の概要】
【発明が解決しようとする課題】
【０００４】
ところで、このようなティーバックは、茶等を抽出した後に容器から取り除くために吊紐を設けていることが通常であるが、吊紐を紙袋に取り付ける作業が必要であり、また抽出後の湯等を含んだディーバックを引き上げる際に吊紐が紙袋から外れないようにするためにはこれらの連結部に強度を持たせることも要求されるため、かかる点で改善の余地が残されている。また、外出先でも好みのティーバックから抽出した茶等を手軽に飲用したいとする要望があるものの、商品の流通段階ではティーバック単独で販売されることが一般的であるため別途容器を準備する必要があり、また、紙袋を用いているために変形しやすく、移動中に外部から力が加わるとティーバックに収納した茶葉等が粉砕されるおそれもあって、未だ実用的なものがないのが現状であった。
【０００５】
本発明は、このような従来の問題点を解決することを課題とするものであり、その目的は、従来のティーバックのように吊紐を紙袋に取り付ける面倒な作業を要することがなく、また外出先でも手軽に飲用することができる抽出容器を提案するところにある。
【課題を解決するための手段】
【０００６】
本発明は、上部を開口させた外周壁を有しその内側に飲料を収容する容器本体と、抽出原料の収納空間を有するケース本体を備え該収納空間を閉塞するフィルターを設けた収納ケースとからなり、該収納ケースを該容器本体内に載置し該容器本体に収容される溶媒を該収納ケース内に導入させて飲料を抽出させる抽出容器であって、
前記ケース本体を、合成樹脂にて形成するとともに、該収納空間を、底板と該底板を取り囲んで立ち上がる周壁との協働によって形成し、
該周壁は、該周壁の外周面から隙間をあけて該外周面に沿って延在しその一端部を該周壁に一体連結するとともに該周壁との隙間をつなぐ少なくとも１つの連結片を備え、該連結片の破断にて一端部を残して該周壁から切り離されて該容器本体内からの該収納ケースの吊り上げを可能とするアーム部を設けることを特徴とする抽出容器である。
【０００７】
前記アーム部は、その他端部に前記容器本体の外周壁上端に引っ掛かるフックを備えることが好ましい。
【０００８】
前記収納ケースは、前記フィルターを覆うシール部材を備えることが好ましい。
【０００９】
前記容器本体は、前記外周壁を上部の開口に向けて拡径させて該容器本体の底部上に前記収納ケースを収めた姿勢で該容器本体同士のスタッキングを可能とするものであることが好ましい。
【発明の効果】
【００１０】
抽出原料を収めるケース本体を合成樹脂にて形成するとともに、このケース本体に、周壁の外周面から隙間をあけて外周面に沿って延在し、その一端部を周壁に一体連結するとともに周壁との隙間をつなぐ少なくとも１つの連結片を備えるアーム部を設けたので、ケース本体に力が加わることがあっても、収納された抽出原料が粉砕されるおそれを極力減らすことができる上、アーム部をケース本体に取り付ける作業が不要となる。また、アーム部とケース本体とは、合成樹脂そのものの強度によって強固に連結されるので、ケース本体を引き上げる際にアーム部が外れてしまう不具合も抑制することができる。
【００１１】
アーム部の他端部に、容器本体の外周壁上端に引っ掛かるフックを設ける場合は、抽出中にアーム部が容器本体内に落ちてしまう不具合が有効に防止される。
【００１２】
収納ケースに、フィルターを覆うシール部材を設ける場合は、ケース内の収納空間に埃等が入り込むおそれがなくなる上、抽出原料と外気との接触を防ぐことができるので、初期の品質を長期間に亘って維持することができる。
【００１３】
容器本体が、外周壁を上部の開口に向けて拡径させて容器本体の底部上に収納ケースを収めた姿勢で該容器本体同士のスタッキングを可能とするものである場合は、複数の容器本体を持ち運ぶ際にもこれらの容器本体が嵩張ることがないので、使い勝手が良くなる。
【図面の簡単な説明】
【００１４】
【図１】本発明に従う抽出容器における収納ケースの実施の形態を示す分解斜視図である。
【図２】図１に示す収納ケースを、軸線を境にして半分のみを示す断面図である。
【図３】図１に示す収納ケースの連結片を破断して、アーム部のフックを容器本体に引っ掛けた姿勢を示す断面図である。
【図４】使用前の収納ケースを容器本体の底部上に収めた姿勢で合計３個の容器本体をスタッキングさせた断面図であって、容器本体の軸線を境にして半分のみを示す。
【発明を実施するための形態】
【００１５】
以下、図面を参照して、本発明をより具体的に説明する。
図１は、本発明に従う抽出容器における収納ケースの実施の形態を示す分解斜視図であって、図２は、図１に示す収納ケースを、軸線を境にして半分のみを示す断面図であって、図３は、図１に示す収納ケースの連結片を破断して、アーム部のフックを容器本体に引っ掛けた姿勢を示す断面図であって、図４は、使用前の収納ケースを容器本体の底部上に収めた姿勢で合計３個の容器本体をスタッキングさせた断面図であって、容器本体の軸線を境にして半分のみを示す。
【００１６】
図１において、符号１は、本発明の抽出容器のうち、後述する容器本体内に載置される収納ケースである。収納ケース１は、例えば茶葉や砕いたコーヒー豆等の抽出原料を収納するケース本体１０と、ケース本体１０の開口を塞ぐフィルター１１と、フィルター１１を覆うシール部材１２とを備えている。
【００１７】
ケース本体１０は、合成樹脂製であって、例えば射出成形機にて溶融した合成樹脂を金型内に射出することによって形成される。またケース本体１０は、図示の例では円板状となる底板１０ａの縁部から立ち上がる周壁１０ｂを有し、該周壁１０ｂの上端は開口Ｈとなっている。また、図２に示すようにケース本体１０の内側には、底板１０ａと周壁１０ｂとの協働にて、上述した抽出原料Ｔを収める収納空間ｍが形成されている。
【００１８】
また、図１に示すようにケース本体１０は、周壁１０ｂの外周面から隙間ｓをあけてこの外周面に沿って延在するアーム部１０ｃを備えている。アーム部１０ｃは、その一端部が周壁１０ｂに一体連結する連結部１０ｄであり、また、その他端部が平面視にて逆Ｌ字状となるフック１０ｅとなっている。さらに、周壁１０ｂの隙間ｓには、周壁１０ｂの外周面とアーム部１０ｃの内周面とを連結する少なくとも１つ（図示の例では周方向に間隔をあけて合計３つ）の連結片１０ｆを設けている。
【００１９】
図１及び図２に示すように、フィルター１１は、収納空間ｍを閉鎖する蓋壁１１ａを有する。また蓋壁１１ａには、その表裏を貫く複数の貫通孔１１ｂを備えている。さらに蓋壁１１ａの下面側には、周壁１０ｂの内周面と嵌合する環状壁１１ｃを一体連結していて、フィルター１１をケース本体１０の開口Ｈに保持している。なお図示の例でフィルター１１は、合成樹脂にて一体成形されるものであるが、例えば、ケース本体１０の開口Ｈを覆うように設けられた不織布にて代用することもできる。
【００２０】
また、シール部材１２は、その裏面側の全面又は縁部をフィルター１１の蓋壁１１ａに固着させるものであり、これにより、フィルター１１を装着したケース本体１０の収納空間ｍへの外気の流入が阻止される。また、シール部材１２には、図１に示すようにフィルター１１の外径から突出する摘み部１２ａを設けることが好ましく、これによりシール部材１２を剥がす作業が容易となる。
【００２１】
図３に示す符号２は、容器本体である。容器本体２は、円形の底部２０の縁部から起立する外周壁２１を有し、その上端を開口させている。また、底部２０及び外周壁２１にて区画される内側領域は、溶媒を収容する内部空間Ｍとなっている。さらに、底部２０の中央部分は、内部空間Ｍに向けて凸となる上げ底部２０ａを形成している。また、外周壁２１は、上部の開口に向けて拡径するとともに、その上部には、段部２２を介して半径方向外側に延在するフランジ２３を一体連結している。
【００２２】
上記のように形成される収納ケース１及び容器本体２を使用するにあたっては、連結片１０ｆを破断させることで、アーム部１０ｃを連結部１０ｄのみでつないだ状態にして、図３に示すように、収納ケース１を容器本体２の内部空間Ｍに載置する。このとき、アーム部１０ｃにフック１０ｅを設ける場合は、このフック１０ｅを容器本体２のフランジ２３に引っ掛けることによって安定して保持されるので、アーム部１０ｃが不用意に外れて内部空間Ｍ内に落ちてしまうおそれがなくなる。
【００２３】
そして、容器本体２内に水や湯等の溶媒を注ぎ入れることにより、この溶媒がフィルター１１の貫通孔１１ｂを出入りして、収納ケース１内の抽出原料から所望の飲料が抽出される。
【００２４】
また、容器本体２は、外周壁２１が上部の開口に向けて拡径しているので、図４に示すように、収納ケース１を容器本体２の底部２０上に収めた姿勢でスタッキングさせる（図示の例では３つの容器本体２を積み重ねている）ことができる。これにより、複数の容器本体２をコンパクトに収納できるので、持ち運びが容易となり、使い勝手が良くなる。なお、図示のようにスタッキングさせた容器本体２をまとめてシュリンクフィルムＦで覆うことで、これらを市場流通させる場合の取り扱いが容易となる上、容器本体への埃等の付着を防止することができる。
【産業上の利用可能性】
【００２５】
本発明によれば、吊紐を紙袋に取り付ける面倒な作業を要することがなく、また移動中に抽出原料が粉砕されるおそれを極力減らすことができるので外出先でも手軽に飲用することができる、新たな抽出容器を提供することが可能となる。
【符号の説明】
【００２６】
１  収納ケース
２  容器本体
１０  ケース本体
１０ａ  底板
１０ｂ  周壁
１０ｃ  アーム部
１０ｅ  フック
１０ｆ  連結片
１１  フィルター
１２  シール部材
２０  底部
２１  外周壁
ｍ    収納空間
ｓ    隙間
Ｔ    抽出原料
【図１】
0005826691.tif 000002
【図２】
0005826691.tif 000003
【図３】
0005826691.tif 000004
【図４】
0005826691.tif 000005